【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
陽極と、陰極と、前記陽極および前記陰極の間に挟まれた化合物膜と、を有する発光素子を含む発光装置において、前記化合物膜は、高分子化合物である第一の化合物からなる領域と、前記第一の化合物とは異なる高分子化合物である第二の化合物からなる領域と、前記第一の化合物および前記第二の化合物が混合している混合領域とを有することを特徴とする発光装置。
【請求項２】
陽極と、陰極と、前記陽極および前記陰極の間に挟まれた化合物膜と、を有する発光素子を含む発光装置において、前記化合物膜は、高分子化合物である第一の化合物からなる領域と、真空蒸着可能な低分子化合物である第二の化合物からなる領域と、前記第一の化合物および前記第二の化合物が混合している混合領域とを有することを特徴とする発光装置。
【請求項３】
陽極と、陰極と、前記陽極および前記陰極の間に挟まれた有機化合物膜と、を有する発光素子を含む発光装置において、前記有機化合物膜は、高分子化合物である第一の有機化合物からなる領域と、前記第一の有機化合物とは異なる高分子化合物である第二の有機化合物からなる領域と、前記第一の有機化合物および前記第二の有機化合物が混合している混合領域とを有することを特徴とする発光装置。
【請求項４】
陽極と、陰極と、前記陽極および前記陰極の間に挟まれた有機化合物膜と、を有する発光素子を含む発光装置において、前記有機化合物膜は、高分子化合物である第一の有機化合物からなる領域と、真空蒸着可能な低分子化合物である第二の有機化合物からなる領域と、前記第一の有機化合物および前記第二の有機化合物が混合している混合領域とを有することを特徴とする発光装置。
【請求項５】
請求項３に記載の発光装置において、前記第一の有機化合物は正孔輸送性の化合物であり、かつ、前記第二の有機化合物は発光を呈する発光性の化合物であり、前記混合領域は前記陽極および前記陰極とは接していないことを特徴とする発光装置。
【請求項６】
請求項３に記載の発光装置において、前記第一の有機化合物は電子輸送性の化合物であり、かつ、前記第二の有機化合物は発光を呈する発光性の化合物であり、前記混合領域は前記陽極および前記陰極とは接していないことを特徴とする発光装置。
【請求項７】
請求項４に記載の発光装置において、前記第一の有機化合物は正孔輸送性の化合物であり、かつ、前記第二の有機化合物は発光を呈する発光性の化合物であり、前記混合領域は前記陽極および前記陰極とは接していないことを特徴とする発光装置。
【請求項８】
請求項４に記載の発光装置において、前記第一の有機化合物は電子輸送性の化合物であり、かつ、前記第二の有機化合物は発光を呈する発光性の化合物であり、前記混合領域は前記陽極および前記陰極とは接していないことを特徴とする発光装置。
【請求項９】
請求項４に記載の発光装置において、前記第一の有機化合物は発光を呈する発光性の化合物であり、かつ、前記第二の有機化合物は正孔輸送性の化合物であり、前記混合領域は前記陽極および前記陰極とは接していないことを特徴とする発光装置。
【請求項１０】
請求項４に記載の発光装置において、前記第一の有機化合物は発光を呈する発光性の化合物であり、かつ、前記第二の有機化合物は電子輸送性の化合物であり、前記混合領域は前記陽極および前記陰極とは接していないことを特徴とする発光装置。
【請求項１１】
請求項５乃至請求項８のいずれか一に記載の発光装置において、前記第一の有機化合物は、π電子を含む高分子化合物であり、かつ、化学ドーピングを施されていることを特徴とする発光装置。
【請求項１２】
請求項５または請求項７に記載の発光装置において、前記第一の有機化合物は、ポリチオフェン誘導体、またはポリアニリン誘導体、またはポリビニルカルバゾール誘導体であることを特徴とする発光装置。
【請求項１３】
請求項５または請求項６に記載の発光装置において、前記第二の有機化合物は、ポリパラフェニレンビニレン誘導体、またはポリジアルキルフルオレン誘導体、またはポリビニルカルバゾール誘導体、またはポリフェニレン誘導体であることを特徴とする発光装置。
【請求項１４】
請求項９または請求項１０に記載の発光装置において、前記第一の有機化合物は、ポリパラフェニレンビニレン誘導体、またはポリジアルキルフルオレン誘導体、またはポリビニルカルバゾール誘導体、またはポリフェニレン誘導体であることを特徴とする発光装置。
【請求項１５】
請求項３乃至請求項１４のいずれか一に記載の発光装置において、前記有機化合物膜は、前記第一の有機化合物および前記第二の有機化合物とは異なる第三の有機化合物を含有し、かつ、前記第三の有機化合物が、前記混合領域にゲストとして添加されていることを特徴とする発光装置。
【請求項１６】
請求項１５に記載の発光装置において、前記第一の有機化合物および前記第二の有機化合物は、前記陽極から正孔を受け取る正孔注入性化合物、前記陰極から電子を受け取る電子注入性化合物、正孔輸送性化合物、電子輸送性化合物、正孔または電子の移動を阻止しうるブロッキング性化合物、の一群から選ばれる化合物であり、かつ、前記第三の有機化合物は、発光を呈する発光性化合物であることを特徴とする発光装置。
【請求項１７】
請求項１５または請求項１６に記載の発光装置において、前記第三の有機化合物は、三重項励起状態からの発光を呈する発光性化合物であることを特徴とする発光装置。
【請求項１８】
請求項１７に記載の発光装置において、前記第三の有機化合物は、白金を中心金属とする金属錯体、またはイリジウムを中心金属とする金属錯体であることを特徴とする発光装置。
【請求項１９】
請求項１５に記載の発光装置において、前記第三の有機化合物は、前記第一の有機化合物および前記第二の有機化合物に比べて、最高被占分子軌道と最低空分子軌道とのエネルギー差が大きいことを特徴とする発光装置。
【請求項２０】
請求項１５に記載の発光装置において、前記第三の有機化合物は、フェナントロリン誘導体、またはオキサジアゾール誘導体、またはトリアゾール誘導体であることを特徴とする発光装置。
【請求項２１】
請求項１５または請求項１６に記載の発光装置において、前記第三の有機化合物は金属元素を有する金属錯体であり、SIMSにより検知できる前記金属元素の検出領域は、前記混合領域であることを特徴とする発光装置。
【請求項２２】
請求項２１に記載の発光装置において、前記金属元素は、アルミニウム、または亜鉛、またはベリリウムであることを特徴とする発光装置。
【請求項２３】
請求項２１に記載の発光装置において、前記金属元素は、イリジウムまたは白金であることを特徴とする発光装置。
【請求項２４】
請求項１乃至請求項２３のいずれか一に記載の発光装置を用いたことを特徴とする電気器具。
【請求項２５】
請求項２４に記載の電気器具において、前記電気器具はディスプレイ、ビデオカメラ、デジタルカメラ、画像再生装置、携帯型コンピュータ、パーソナルコンピュータ、携帯電話、音響機器のいずれかであることを特徴とする電気器具。
【請求項２６】
電極を有する基板に対し、第１の有機化合物および第１の溶媒で構成される第１の溶液を湿式塗布し、前記第１の溶液を、前記第１の溶媒の蒸気圧が作業雰囲気の圧力以下になる温度にて加熱し、その後第２の有機化合物および第２の溶媒で構成される第２の溶液を塗布することを特徴とする、発光素子を含む発光装置の製造方法。
【請求項２７】
電極を有する基板に対し、第１の有機化合物および第１の溶媒で構成される第１の溶液を湿式塗布して加熱乾燥した後、前記第１の溶液に含まれる溶媒が作業雰囲気に含まれる状態にて、次いで第２の有機化合物および第２の溶媒で構成される第２の溶液を塗布することを特徴とする、発光素子を含む発光装置の製造方法。
【請求項２８】
電極を有する基板に対し、第１の有機化合物を成膜した後、第２の有機化合物および第２の溶媒で構成される第２の溶液を湿式塗布する際に、前記第２の溶媒に対する溶解度は、前記第１の有機化合物よりも前記第２の有機化合物の方が高いことを特徴とする、発光素子を含む発光装置の製造方法。
【請求項２９】
電極を有する基板に対し、第１の有機化合物を成膜した後、前記第１の有機化合物を溶解できる溶媒が作業雰囲気に含まれる状態にて、次いで第２の有機化合物および第２の溶媒で構成される第２の溶液を湿式塗布することを特徴とする、発光素子を含む発光装置の製造方法。